(57)【要約】【課題】積極的にメラトニンの分泌を促すことが出来る照明装置ならびに睡眠障害治療器を提供する。【解決手段】白色光源と入眠誘発光源と変更部とを備える照明装置が採用される。ここで、白色光源は、白色光を発する。また、入眠誘発光源は、５８０ｎｍ以上で且つ８００ｎｍ以下の波長の入眠誘発光を発する。更に、変更部は、入眠誘発光源の発光状態を変更する。上記照明装置が採用される場合、５８０ｎｍ以上で且つ８００ｎｍ以下の波長の入眠誘発光がユーザーの眼に作用することで、積極的にメラトニンの分泌が促され得る。【選択図】図９
2013222651.tif 000002
【特許請求の範囲】
【請求項１】
白色光を発する白色光源と、
５８０ｎｍ以上で且つ８００ｎｍ以下の波長の入眠誘発光を発する入眠誘発光源と、
前記入眠誘発光源の発光状態を変更する変更部と、
を備えることを特徴とする照明装置。
【請求項２】
請求項１に記載の照明装置であって、
入眠設定タイミングに係る情報の入力を受け付ける受付部、
を更に備え、
前記変更部が、前記入眠設定タイミングの所定時間前から前記入眠誘発光源を点灯させるか、または前記入眠誘発光源の発光強度を上昇させることを特徴とする照明装置。
【請求項３】
請求項２に記載の照明装置であって、
前記所定時間が、２時間であることを特徴とする照明装置。
【請求項４】
請求項１から請求項３の何れか１つの請求項に記載の照明装置であって、
前記入眠誘発光の波長が、７５０ｎｍ以上で且つ８００ｎｍ以下であることを特徴とする照明装置。
【請求項５】
請求項１から請求項４の何れか１つの請求項に記載の照明装置であって、
該照明装置から発せられる前記入眠誘発光の各単位波長帯における放射照度が、２Ｗ・ｍ−２・ｎｍ−１以下であることを特徴とする照明装置。
【請求項６】
請求項１から請求項４の何れか１つの請求項に記載の照明装置であって、
該照明装置から発せられる前記入眠誘発光の各単位波長帯における放射輝度が、０．０６Ｗ・ｍ−２・ｓｒ−１・ｎｍ−１以下であることを特徴とする照明装置。
【請求項７】
請求項１から請求項６の何れか１つの請求項に記載の照明装置であって、
人体に対してメラトニンの分泌を抑制する作用を有する波長成分の光を発する覚醒用光源、
を更に備え、
前記覚醒用光源は発光状態を前記変更部によって変更されることを特徴とする照明装置。
【請求項８】
請求項７に記載の照明装置であって、
前記変更部が、
前記入眠誘発光源および前記覚醒用光源の発光状態を変更することで、前記照明装置を、前記入眠誘発光源の発光強度が前記覚醒用光源の発光強度よりも高い入眠誘発状態と、前記覚醒用光源の発光強度が前記入眠誘発光源の発光強度よりも高い覚醒誘発状態とに設定することを特徴とする照明装置。
【請求項９】
５８０ｎｍ以上で且つ８００ｎｍ以下の波長の入眠誘発光を発する入眠誘発光源と、
ユーザーが予め決められた姿勢で体を当接させることで、前記入眠誘発光源から発せられる前記入眠誘発光が照射される被照射領域に該ユーザーの顔を配置する姿勢設定部と、
前記入眠誘発光源の発光状態を変更する変更部と、
を備えることを特徴とする睡眠障害治療器。
【請求項１０】
請求項９に記載の睡眠障害治療器であって、
入眠設定タイミングに係る情報の入力を受け付ける受付部、
を更に備え、
前記変更部が、前記入眠設定タイミングの所定時間前から前記入眠誘発光源を点灯させるか、または前記入眠誘発光源の発光強度を上昇させることを特徴とする睡眠障害治療器。
【請求項１１】
請求項１０に記載の睡眠障害治療器であって、
前記所定時間が、２時間であることを特徴とする睡眠障害治療器。
【請求項１２】
請求項９から請求項１１の何れか１つの請求項に記載の睡眠障害治療器であって、
前記入眠誘発光の波長が、７５０ｎｍ以上で且つ８００ｎｍ以下であることを特徴とする睡眠障害治療器。
【請求項１３】
請求項９から請求項１２の何れか１つの請求項に記載の睡眠障害治療器であって、
該睡眠障害治療器から発せられる前記入眠誘発光の各単位波長帯における放射照度が、２Ｗ・ｍ−２・ｎｍ−１以下であることを特徴とする睡眠障害治療器。
【請求項１４】
請求項９から請求項１２の何れか１つの請求項に記載の睡眠障害治療器であって、
該睡眠障害治療器から発せられる前記入眠誘発光の各単位波長帯における放射輝度が、０．０６Ｗ・ｍ−２・ｓｒ−１・ｎｍ−１以下であることを特徴とする睡眠障害治療器。
【請求項１５】
請求項９から請求項１４の何れか１つの請求項に記載の睡眠障害治療器であって、
人体に対してメラトニンの分泌を抑制する作用を有する波長成分の光を発する覚醒用光源、
を更に備え、
前記覚醒用光源は発光状態を前記変更部によって変更されることを特徴とする睡眠障害治療器。
【請求項１６】
請求項１５に記載の睡眠障害治療器であって、
前記変更部が、
前記入眠誘発光源および前記覚醒用光源の発光状態を変更することで、前記睡眠障害治療器を、前記入眠誘発光源の発光強度が前記覚醒用光源の発光強度よりも高い入眠誘発状態と、前記覚醒用光源の発光強度が前記入眠誘発光源の発光強度よりも高い覚醒誘発状態とに設定することを特徴とする睡眠障害治療器。
【発明の詳細な説明】
【技術分野】
【０００１】
本発明は、照明装置および睡眠障害治療器に関する。
【背景技術】
【０００２】
従来から、照明光の色が人の睡眠に与える影響については、脳の松果体から分泌されるメラトニンが深く関与しているものと考えられている。そして、青色の照明光によってメラトニンの分泌を抑制することで、人の意識の覚醒を促す照明装置が提案されている（例えば、特許文献１〜３等）。
【０００３】
例えば、特許文献１では、照明光の直下以外の部分に照射される照明光のうち、メラトニンの分泌を抑制する青色の波長成分がフィルターによって低減される技術が提案されている。この技術によれば、照明光の直下の部分における演色性が維持されるとともに、人体に対するメラトニンの分泌が抑制されない。
【０００４】
また、特許文献２では、主な発光波長のピーク範囲が略５３０〜５８０ｎｍ及び６００〜６５０ｎｍである蛍光灯に、メラトニンの分泌を抑制する４６４ｎｍ付近の波長成分の光を発するＬＥＤが組み合わされた照明装置が提案されている。この照明装置によれば、ＬＥＤの発光強度の増減により、メラトニンの分泌の抑制効果が制御されるとともに、簡単な構成で色ムラの少ない自然な照明光が得られる。
【０００５】
また、特許文献３では、各ＬＥＤから発せられる赤、緑、青色の光によって白色の照明光が生成される光源装置において、発光波長のピーク範囲が約４２０〜４７０ｎｍ及び４７０〜５２０ｎｍである２つの青色の光が切り替えられる技術が提案されている。この技術によれば、メラトニンの分泌が抑制される効果が制御され得る。
【先行技術文献】
【特許文献】
【０００６】
【特許文献１】特開２００９−３２４８４号公報
【特許文献２】特開２００９−４３２５号公報
【特許文献３】特開２００７−１７３５５７号公報
【発明の概要】
【発明が解決しようとする課題】
【０００７】
しかしながら、上記特許文献１の照明装置では、照明光のうちのメラトニンの分泌を抑制する青色の波長成分が低減され得るが、メラトニンの分泌を促進させることは出来ない。また、上記特許文献２の照明装置では、メラトニンの分泌を抑制する青色の光が増減されるものの、メラトニンの分泌を促進させることは出来ない。また、上記特許文献３の光源装置では、メラトニンの分泌の抑制が制御されるものの、メラトニンの分泌を促進させることは出来ない。すなわち、上記特許文献１〜３の何れの技術においても、メラトニンの分泌の抑制が制御され得るものの、積極的にメラトニンの分泌を促すことが出来ない。
【０００８】
本発明は、上記課題に鑑みてなされたものであり、積極的にメラトニンの分泌を促すことが出来る照明装置ならびに睡眠障害治療器を提供することを目的とする。
【課題を解決するための手段】
【０００９】
上記課題を解決するために、第１の態様に係る照明装置は、白色光を発する白色光源と、５８０ｎｍ以上で且つ８００ｎｍ以下の波長の入眠誘発光を発する入眠誘発光源と、前記入眠誘発光源の発光状態を変更する変更部とを備える。
【００１０】
第２の態様に係る照明装置は、第１の態様に係る照明装置であって、入眠設定タイミングに係る情報の入力を受け付ける受付部、を更に備え、前記変更部が、前記入眠設定タイミングの所定時間前から前記入眠誘発光源を点灯させるか、または前記入眠誘発光源の発光強度を上昇させる。
【００１１】
第３の態様に係る照明装置は、第２の態様に係る照明装置であって、前記所定時間が、２時間である。
【００１２】
第４の態様に係る照明装置は、第１から第３の何れか１つの態様に係る照明装置であって、前記入眠誘発光の波長が、７５０ｎｍ以上で且つ８００ｎｍ以下である。
【００１３】
第５の態様に係る照明装置は、第１から第４の何れか１つの態様に係る照明装置であって、該照明装置から発せられる前記入眠誘発光の各単位波長帯における放射照度が、２Ｗ・ｍ−２・ｎｍ−１以下である。
【００１４】
第６の態様に係る照明装置は、第１から第４の何れか１つの態様に係る照明装置であって、該照明装置から発せられる前記入眠誘発光の各単位波長帯における放射輝度が、０．０６Ｗ・ｍ−２・ｓｒ−１・ｎｍ−１以下である。
【００１５】
第７の態様に係る照明装置は、第１から第６の何れか１つの態様に係る照明装置であって、人体に対してメラトニンの分泌を抑制する作用を有する波長成分の光を発する覚醒用光源を更に備え、前記覚醒用光源は発光状態を前記変更部によって変更される。
【００１６】
第８の態様に係る照明装置は、第７の態様に係る照明装置であって、前記変更部が、前記入眠誘発光源および前記覚醒用光源の発光状態を変更することで、前記照明装置を、前記入眠誘発光源の発光強度が前記覚醒用光源の発光強度よりも高い入眠誘発状態と、前記覚醒用光源の発光強度が前記入眠誘発光源の発光強度よりも高い覚醒誘発状態とに設定する。
【００１７】
第９の態様に係る睡眠障害治療器は、５８０ｎｍ以上で且つ８００ｎｍ以下の波長の入眠誘発光を発する入眠誘発光源と、ユーザーが予め決められた姿勢で体を当接させることで、前記入眠誘発光源から発せられる前記入眠誘発光が照射される被照射領域に該ユーザーの顔を配置する姿勢設定部と、前記入眠誘発光源の発光状態を変更する変更部とを備える。
【００１８】
第１０の態様に係る睡眠障害治療器は、第９の態様に係る睡眠障害治療器であって、入眠設定タイミングに係る情報の入力を受け付ける受付部を更に備え、前記変更部が、前記入眠設定タイミングの所定時間前から前記入眠誘発光源を点灯させるか、または前記入眠誘発光源の発光強度を上昇させる。
【００１９】
第１１の態様に係る睡眠障害治療器は、第１０の態様に係る睡眠障害治療器であって、前記所定時間が、２時間である。
【００２０】
第１２の態様に係る睡眠障害治療器は、第９から第１１の何れか１つの態様に係る睡眠障害治療器であって、前記入眠誘発光の波長が、７５０ｎｍ以上で且つ８００ｎｍ以下である。
【００２１】
第１３の態様に係る睡眠障害治療器は、第９から第１２の何れか１つの態様に係る睡眠障害治療器であって、該睡眠障害治療器から発せられる前記入眠誘発光の各単位波長帯における放射照度が、２Ｗ・ｍ−２・ｎｍ−１以下である。
【００２２】
第１４の態様に係る睡眠障害治療器は、第９から第１２の何れか１つの態様に係る睡眠障害治療器であって、該睡眠障害治療器から発せられる前記入眠誘発光の各単位波長帯における放射輝度が、０．０６Ｗ／ｍ２・ｓｒ−１・ｎｍ−１以下である。
【００２３】
第１５の態様に係る睡眠障害治療器は、第９から第１４の何れか１つの態様に係る睡眠障害治療器であって、人体に対してメラトニンの分泌を抑制する作用を有する波長成分の光を発する覚醒用光源を更に備え、前記覚醒用光源は発光状態を前記変更部によって変更される。
【００２４】
第１６の態様に係る睡眠障害治療器は、第１５の態様に係る睡眠障害治療器であって、前記変更部が、前記入眠誘発光源および前記覚醒用光源の発光状態を変更することで、前記睡眠障害治療器を、前記入眠誘発光源の発光強度が前記覚醒用光源の発光強度よりも高い入眠誘発状態と、前記覚醒用光源の発光強度が前記入眠誘発光源の発光強度よりも高い覚醒誘発状態とに設定する。
【発明の効果】
【００２５】
第１の態様に係る照明装置および第９の態様に係る睡眠障害治療器の何れによっても、５８０ｎｍ以上で且つ８００ｎｍ以下の波長の入眠誘発光が眼に作用することで、積極的にメラトニンの分泌が促され得る。
【００２６】
第２の態様に係る照明装置および第１０の態様に係る睡眠障害治療器の何れによっても、入眠設定タイミングにメラトニンの分泌が促され得る。
【００２７】
第３の態様に係る照明装置および第１１の態様に係る睡眠障害治療器の何れによっても、入眠設定タイミングにおける入眠が促され得る。
【００２８】
第４の態様に係る照明装置および第１２の態様に係る睡眠障害治療器の何れによっても、７５０ｎｍ以上で且つ８００ｎｍ以下の波長成分の光に対する人の視感度が低いため、演色性が低下し難い。
【００２９】
第５および第６の態様に係る照明装置ならびに第１３および第１４の態様に係る睡眠障害治療器の何れによっても、眼に与えられる刺激が強くなり過ぎないため、眼に優しい発光が実現され得る。
【００３０】
第７および第８の態様に係る照明装置ならびに第１５および第１６の態様に係る睡眠障害治療器の何れによっても、メラトニンの分泌の促進および抑制の双方が制御され得る。
【図面の簡単な説明】
【００３１】
【図１】第１実施形態に係る睡眠障害治療器の外観を例示する図である。
【図２】第１実施形態に係る照明部の一構成例を模式的に示す分解図である。
【図３】第１実施形態に係る照明部における面発光の原理を説明するための図である。
【図４】白色ＬＥＤから発せられる光の分光分布を示す図である。
【図５】照明部から発せられる入眠誘発光の特性を例示する図である。
【図６】入眠誘発光の射出時における発光部の分光放射輝度を例示する図である。
【図７】太陽光の分光放射照度を例示する図である。
【図８】第１実施形態に係る睡眠障害治療器の機能的な構成を示すブロック図である。
【図９】第２実施形態に係る照明装置の外観を例示する斜視図である。
【図１０】第２実施形態に係る照明部の一構成例を模式的に示す分解図である。
【図１１】蛍光灯から発せられる光の分光分布を示す図である。
【図１２】第２実施形態に係る照明装置の機能的な構成を示すブロック図である。
【図１３】実験用の照明装置の外観を模式的に示す図である。
【図１４】実験用の照明装置における光源の配置の一例を模式的に示す図である。
【図１５】実験用の照明装置における発光態様の一例を模式的に示す断面図である。
【図１６】実験用の照明装置および白熱電球に係る分光放射輝度を示す図である。
【図１７】実験中に照明が点灯されるタイミングを示すタイミングチャートである。
【図１８】実験中に採取された唾液におけるメラトニンの濃度についての測定結果を示すグラフである。
【発明を実施するための形態】
【００３２】
以下、本発明の第１実施形態、第２実施形態および各種変形例を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。なお、図２、図３および図１０には、光源部２１，２１Ａからの光の射出方向を＋Ｘ方向とする右手系のＸＹＺ座標系が付されている。
【００３３】
＜(１)第１実施形態＞
＜(１−１)睡眠障害治療器の概略構成＞
図１は、第１実施形態に係る睡眠障害治療器１の外観を例示する図である。睡眠障害治療器１は、不眠症等に代表される入眠や睡眠に何らかの異常のある状態としての睡眠障害を治療するための機器である。なお、入眠とは、実際に眠りにつくことを意味しており、具体的には、意識が覚醒した状態から睡眠の状態へ移行することを意味する。
【００３４】
図１で示されるように、睡眠障害治療器１は、主に、姿勢設定部としての寝具部１０と、照明部２０とを備えている。
【００３５】
寝具部１０は、例えば、ベッドであれば良い。寝具部１０には、ベッド上に配されるマットレス、敷き布団、掛け布団および枕等が含まれても良い。この場合、ベッド上に、マットレス、敷き布団および掛け布団がこの順に配される。そして、枕は、敷き布団の上面における長手方向の一端側に配される。
【００３６】
照明部２０は、寝具部１０上に患者が仰向けに寝た場合に、患者の顔に対向するように配されている。例えば、照明部２０は、複数枚（例えば、５枚）の平面状の発光面を有していれば良い。そして、この複数枚の発光面が、寝具部１０のうちの枕が配される領域付近を、寝具部１０の長手方向に平行な軸を中心として半円状に囲むように配されていれば良い。
【００３７】
ここでは、ユーザーとしての患者が、予め決められた姿勢で寝具部１０に対して体を当接させることで、照明部２０から発せられる光が照射される領域（被照射領域とも言う）１０Ｆａに患者の顔が配置され得る。なお、予め決められた姿勢は、例えば、敷き布団の上面の長手方向に沿って患者が仰向けに寝ることで、患者の背中が敷き布団を介してベッドの上面に当接するとともに、患者の後頭部が枕および敷き布団を介してベッドの上面に当接する姿勢であれば良い。この場合、ベッドの上面に対して、敷き布団および枕を介して患者の背中が当接することで、寝具部１０上に仰向けに寝ている患者の顔を半円状に囲むように照明部２０が配されている状態となる。
【００３８】
＜(１−２)照明部の構成＞
図２は、第１実施形態に係る照明部２０の一構成例を模式的に示す分解図である。
【００３９】
図２で示されるように、照明部２０は、例えば、光源部２１、導光フィルム２２、反射板２３および拡散フィルム２４を備えている。
【００４０】
光源部２１は、５８０ｎｍ以上で且つ８００ｎｍ以下の波長を有する赤味を帯びた光（入眠誘発光とも言う）を発する光源（入眠誘発光源とも言う）１ｒを備えている。この入眠誘発光がユーザーとしての患者の眼に作用することで、積極的に患者の脳からのメラトニンの分泌が促され得る。なお、入眠誘発光源１ｒは、例えば、主として赤味を帯びた光を発する光源であっても良いし、赤みを帯びた光の波長成分を多く含む光を発する光源であっても良い。すなわち、入眠誘発光源１ｒは、例えば、赤味を帯びた光の波長成分を他の色の波長成分よりも多く含む光を発する光源であれば良い。具体的には、入眠誘発光源１ｒとしては、例えば、赤味を帯びた光を発するＬＥＤが採用され得る。
【００４１】
また、光源部２１は、人体に対してメラトニンの分泌を抑制する作用を有する波長成分の光（覚醒用光とも言う）としての青色光を発する光源（覚醒用光源とも言う）１ｗを備えている。ここで、覚醒用光は、例えば、４６４ｎｍ付近の波長を有する光であれば良い。この覚醒用光が患者の眼に照射されることで、患者の脳からのメラトニンの分泌が抑制され得る。これにより、患者の意識の覚醒が促される効果（覚醒効果とも言う）が得られる。なお、覚醒用光源１ｗは、例えば、主として青色光を発する光源であっても良いし、青色光の波長成分を多く含む光を発する光源であっても良い。すなわち、覚醒用光源１ｗは、例えば、青色光の波長成分を他の色の波長成分よりも多く含む光を発する光源であれば良い。
【００４２】
そして、照明部２０では、入眠誘発光と覚醒用光とが選択的に発せられれば良い。これにより、寝具部１０上で寝ている患者の脳からのメラトニンの分泌の促進と抑制とが制御され得る。
【００４３】
光源部２１では、複数の覚醒用光源１ｗおよび複数の入眠誘発光源１ｒが一方向（ここでは、＋Ｙ方向）に配列されている。例えば、第１の所定数（例えば３つ）の覚醒用光源１ｗと第２の所定数（例えば１つ）の入眠誘発光源１ｒとが１つの光源群を成し、複数の該光源群が一方向に配列されていれば良い。各覚醒用光源１ｗおよび各入眠誘発光源１ｒは、＋Ｘ方向に向けて光を射出する。
【００４４】
導光フィルム２２は、例えば、板状の透明のフィルムであれば良い。なお、導光フィルム２２内では、例えば、導光フィルム２２内を進む光の進行方向が上下の２主面の法線に対して所定角（例えば、４２°）以上の傾きを有する場合には、導光フィルム２２内を進む光が、導光フィルム２２の上下の２主面において全反射する。
【００４５】
但し、導光フィルム２２の下側（−Ｚ側）の主面には、光取出部としての拡散ドット２２１が配されている。拡散ドット２２１は、例えば、導光フィルム２２の下側（−Ｚ側）の主面を粗面化させる役割を有する。この場合、導光フィルム２２内を進む光は、拡散ドット２２１によって乱反射される。拡散ドット２２１は、例えば、印刷法によって形成され得る。なお、拡散ドット２２１の代わりに、インクジェット法によって形成され得る半球状のドットあるいはＶ字状の傾斜面を有する偏向部が、光取出部として設けられても良い。
【００４６】
反射板２３は、例えば、＋Ｚ側の主面において光を反射するものであれば良い。拡散フィルム２４は、例えば、入射光を拡散させて射出するものであれば良い。
【００４７】
図３は、照明部２０における面発光の原理を説明するための図である。上記構成を有する照明部２０では、導光フィルム２２の−Ｘ側の側面を介して、各覚醒用光源１ｗおよび各入眠誘発光源１ｒから射出される光が導光フィルム２２内に導入される。そして、図３の破線で描かれた矢印で示されるように、導光フィルム２２の側面から該導光フィルム２２内に入射した光は、導光フィルム２２の上下の主面で全反射しながら、導光フィルム２２の内部を進む。このとき、導光フィルム２２の内部を進む光が、拡散ドット２２１において乱反射し、拡散フィルム２４を介して、＋Ｚ方向に射出される。つまり、拡散フィルム２４の＋Ｚ側の主面が光を放射する発光部２４ｅとなる。
【００４８】
この場合、反射板２３の存在によって、導光フィルム２２の−Ｚ側に漏れ出る光が、導光フィルム２２内に戻され得る。また、拡散フィルム２４の存在によって、発光部２４ｅとしての拡散フィルム２４の＋Ｚ側の主面において＋Ｚ方向に射出される光（照明光とも言う）が２次元的に均一なものに近づけられ得る。これにより、高効率で均一な光を射出する面発光が実現され得る。その結果、患者が発光部２４ｅを直視しても眩しくない程度の明るい照明が実現され得る。
【００４９】
＜(１−３)覚醒用光および入眠誘発光＞
覚醒用光源１ｗは、例えば、青色光を発する発光ダイオード（青色ＬＥＤとも言う）と黄色発光蛍光体とが組み合わされた白色光を発するＬＥＤ（白色ＬＥＤとも言う）であれば良い。ここで、青色ＬＥＤは、例えば、４５０ｎｍの波長において分光放射輝度のピークを呈するものであれば良い。この場合、白色ＬＥＤから発せられる白色光は、図４で示されるような分光分布を呈する。図４で示されるように、白色ＬＥＤから発せられる白色光には、高い覚醒効果が得られる４６４ｎｍ付近の波長成分が青色以外の波長成分よりも多く含まれる。
【００５０】
ここで、患者の脳からのメラトニンの分泌が抑制される効果（メラトニン分泌抑制効果とも言う）および覚醒効果については、患者間における差が存在する。このため、覚醒用光源１ｗの発光時における発光部２４ｅの分光放射輝度が自在に変更可能であれば、患者に応じた治療が可能となる。
【００５１】
図５は、入眠誘発光源１ｒから発せられる入眠誘発光の特性を例示する図である。図６は、入眠誘発光の射出時における照明部２０の分光放射輝度を例示する図である。なお、図５では、入眠誘発光源１ｒとして第１〜８ＬＥＤがそれぞれ採用された場合における入眠誘発光の特性が示されている。図５におけるピーク波長は、入眠誘発光源１ｒの発光時に分光放射輝度が最大となる波長である。また、図５における半値幅は、発光時に入眠誘発光源１ｒの分光放射輝度が最大値の半分以上の値を呈する波長の幅である。図６における曲線１Ｌ〜８Ｌは、入眠誘発光源１ｒとして第１〜８ＬＥＤがそれぞれ採用された場合について、入眠誘発光源１ｒの発光時における発光部２４ｅの分光放射輝度が示されている。
【００５２】
また、ここで、患者の脳からのメラトニンの分泌を促進させる効果（メラトニン分泌促進効果とも言う）および入眠を誘発する効果（入眠誘発効果とも言う）についても、患者間における差が存在する。このため、入眠誘発光源１ｒの発光時における発光部２４ｅの分光放射輝度が自在に変更可能であれば、患者に応じた治療が可能となる。
【００５３】
但し、発光部２４ｅから発せられる照明光の放射照度が高過ぎると、患者が眼を開く事が出来なくなる。そこで、照明光の分光放射照度が、太陽光の分光放射照度と同等またはそれ以下に設定されることで、患者の眼に与えられる刺激が強くなり過ぎず、患者の眼に優しい発光が実現され得る。
【００５４】
具体的には、太陽光の分光放射照度の一例は、図７で示されるものである。図７では、エアマス（ＡＭ）が０である大気圏外における太陽光の分光放射照度が曲線ＡＭ０で示され、エアマス（ＡＭ）が１．５である地上における太陽光の分光放射照度が棒グラフＡＭ１．５で示されている。図７で示されるように、地上に照射される太陽光における６００ｎｍ付近の波長成分に係る分光放射照度は、２Ｗ・ｍ−２・ｎｍ−１以下である。このため、発光部２４ｅから発せられる入眠誘発光の各単位波長帯における放射照度が、２Ｗ・ｍ−２・ｎｍ−１以下であれば、患者の眼に優しい発光が実現され得る。
【００５５】
また、通常は、人は、太陽光が地上付近において反射した光を視認する。このため、地上付近における太陽光の標準的な反射光が想定されて、発光部２４ｅから発せられる入眠誘発光の各単位波長帯における放射輝度が、０．０４３Ｗ・ｍ−２・ｓｒ−１・ｎｍ−１程度とされても良い。具体的には、図７で示されるように、例えば、太陽光においては、入眠誘発光の波長範囲に相当する５８０ｎｍ以上で且つ８００ｎｍ以下の波長範囲では、１．５Ｗ・ｍ−２・ｎｍ−１程度の分光放射照度を有する。そこで、１．５Ｗ・ｍ−２・ｎｍ−１の分光放射照度を有する太陽光が、完全拡散反射を生じさせる１８％標準反射板に照射される場合を想定する。この場合、１８％標準反射板上での輝度として、立体放射角が２πとされ且つ反射率が１８％とされると、０．０４３（≒（１．５／２π）×０．１８）Ｗ・ｍ−２・ｓｒ−１・ｎｍ−１が算出され得る。
【００５６】
なお、地上付近における太陽光の反射率が２５％以下で且つ立体放射角が２πで反射する場合が想定されて、発光部２４ｅから発せられる入眠誘発光の各単位波長帯における放射輝度が、０．０６Ｗ・ｍ−２・ｓｒ−１・ｎｍ−１以下に設定されても良い。これにより、患者の眼に優しい発光がより確実に実現され得る。
【００５７】
図６で示される発光部２４ｅの分光放射輝度は、太陽光が１８％標準反射板上で反射された場合における分光放射輝度に合わせた値に概ね設定されている。
【００５８】
また、入眠誘発光源１ｒとして、第１〜８ＬＥＤのうちの２種類以上のＬＥＤが設けられ、患者によって、発光させるＬＥＤの種類が切り替えられても良い。この場合、患者に応じてメラトニン分泌促進効果および入眠誘発効果が高いＬＥＤが採用されることで、眩し過ぎず且つ入眠誘発効果が高い状態が実現され得る。また、例えば、入眠誘発光源１ｒに、第１〜８ＬＥＤのうちの２種類以上のＬＥＤの組み合わせが採用され、該２種類以上のＬＥＤを同時期に発光させることで、入眠誘発光が射出されても良い。
【００５９】
＜(１−４)照明部における発光の制御＞
図８は、第１実施形態に係る睡眠障害治療器１の機能的な構成を示すブロック図である。図８で示されるように、睡眠障害治療器１は、照明部２０、変更部３０および受付部４０を備えている。変更部３０は、照明部２０に対して電気的に接続されている。受付部４０は、変更部３０に対して電気的に接続されている。
【００６０】
受付部４０は、患者を入眠させたいタイミング（入眠設定タイミングとも言う）に係る情報、および患者を起床させたいタイミング（起床設定タイミングとも言う）に係る情報の入力を受け付ける部分である。
【００６１】
ここで、入眠設定タイミングおよび起床設定タイミングに係る情報は、例えば、時刻を示す絶対的な数値の情報であっても良いし、ある時点を基準とした何時間後といった相対的な数値の情報であっても良い。例えば、受付部４０に、各種ボタンが設けられており、オペレーターによる各種ボタンの操作に応じて、受付部４０が、入眠設定タイミングおよび起床設定タイミングに係る情報の入力を受け付ける態様が採用され得る。また、例えば、受付部４０が、他の機器であるパーソナルコンピュータ等にデータ受信可能に接続されており、該他の機器からの入眠設定タイミングおよび起床設定タイミングに係る情報の入力を受け付けても良い。また、受付部４０は、照明部２０内に配されている覚醒用光源１ｗおよび入眠誘発光源１ｒにおける点灯および消灯の情報を受け付けても良い。なお、受付部４０において受け付けられる各種情報は、変更部３０に入力される。
【００６２】
変更部３０は、照明部２０における覚醒用光源１ｗおよび入眠誘発光源１ｒの発光状態をそれぞれ変更する。発光状態の変更には、光源の点灯および消灯の変更だけでなく、光源の発光強度の強弱の変更も含まれる。ここで、例えば、変更部３０は、例えば、照明部２０に配されている覚醒用光源１ｗおよび入眠誘発光源１ｒに対する電力の供給を制御する各種スイッチング素子等を含む電気回路であれば良い。
【００６３】
そして、変更部３０は、覚醒用光源１ｗおよび入眠誘発光源１ｒの発光状態を変更することで、照明部２０を、入眠誘発光源１ｒの発光強度が覚醒用光源１ｗの発光強度よりも高い状態（入眠誘発状態とも言う）に設定し得る。つまり、睡眠障害治療器１を入眠誘発状態に設定し得る。また、変更部３０は、覚醒用光源１ｗおよび入眠誘発光源１ｒの発光状態を変更することで、照明部２０を、覚醒用光源１ｗの発光強度が入眠誘発光源１ｒの発光強度よりも高い状態（覚醒誘発状態とも言う）に設定し得る。つまり、睡眠障害治療器１を覚醒誘発状態に設定し得る。このように、睡眠障害治療器１が、入眠誘発状態および覚醒誘発状態に選択的に設定されることで、メラトニンの分泌の促進および抑制の双方が制御され得る。
【００６４】
また、変更部３０は、入眠設定タイミングの所定時間前から入眠誘発光源１ｒを点灯させる。なお、変更部３０が、入眠設定タイミングの所定時間前から入眠誘発光源１ｒの発光強度を上昇させても良い。すなわち、変更部３０は、入眠設定タイミングの所定時間前から入眠誘発光源１ｒを点灯させるか、または入眠誘発光源１ｒの発光強度を上昇させれば良い。ここで、所定時間は、例えば、２時間であれば良い。
【００６５】
例えば、午後９時から午前６時までの睡眠を促して治療する場合、入眠設定タイミングである午後９時の２時間前である午後７時から入眠誘発光源１ｒが点灯し且つ覚醒用光源１ｗが消灯している状態に照明部２０が設定されれば良い。これにより、入眠設定タイミングに患者におけるメラトニンの分泌が促され得る。そして、入眠設定タイミングにおける入眠が促され得る。また、午後７時までは入眠誘発光源１ｒの発光強度が低く設定されており、午後７時から入眠誘発光源１ｒの発光強度が高められても良い。なお、入眠設定タイミングである午後９時には、入眠誘発光源１ｒの発光強度が低減されれば、患者が安眠出来る環境が実現され得る。更に、入眠誘発光源１ｒの発光強度が零まで低減されて、入眠誘発光源１ｒが消灯されれば、患者が更に安眠出来る環境が実現され得る。
【００６６】
また、変更部３０は、起床設定タイミングにおいて覚醒用光源１ｗを点灯させる。なお、変更部３０が、起床設定タイミングにおいて覚醒用光源１ｗの発光強度を上昇させても良い。すなわち、変更部３０は、覚醒設定タイミングにおいて覚醒用光源１ｗを点灯させるか、または覚醒用光源１ｗの発光強度を上昇させれば良い。
【００６７】
例えば、午後９時から午前６時までの睡眠を促して治療する場合、起床設定タイミングである午前６時から覚醒用光源１ｗが点灯し且つ入眠誘発光源１ｒが消灯している状態に照明部２０が設定されれば良い。これにより、起床設定タイミングに患者におけるメラトニンの分泌が抑制され得る。その結果、起床設定タイミングにおける患者の意識の覚醒が促され得る。すなわち、患者の目覚めを助ける環境が実現され得る。また、午前６時まで覚醒用光源１ｗの発光強度が低く設定されており、午前６時から覚醒用光源１ｗの発光強度が高められても良い。
【００６８】
上述した入眠誘発光源１ｒおよび覚醒用光源１ｗの発光状態を変更する制御は、例えば、入眠設定タイミングおよび起床設定タイミングに係る情報が時刻を示す絶対的な数値の情報である場合、変更部３０が時刻の認識が可能な機能を有することで実現され得る。また、例えば、入眠設定タイミングおよび起床設定タイミングに係る情報が何時間後といった相対的な数値の情報である場合、入眠誘発光源１ｒおよび覚醒用光源１ｗの発光状態を変更する制御は、変更部３０がタイマー機能を有することで実現され得る。
【００６９】
上述したように、覚醒用光源１ｗおよび入眠誘発光源１ｒの点灯および消灯が制御されることで、入眠設定タイミングの前に入眠誘発光が射出され、起床設定タイミングにおいて覚醒用光が射出される。この場合、患者が照明部２０を直視することにより、患者の入眠および意識の覚醒が促進される。その結果、患者の生活リズムの改善が図られ得る。
【００７０】
＜(１−５)第１実施形態のまとめ＞
以上のように、第１実施形態に係る睡眠障害治療器１によれば、姿勢設定部としての寝具部１０に予め決められた姿勢で患者の体を当接させることで、５８０ｎｍ以上で且つ８００ｎｍ以下の波長を有する入眠誘発光がユーザーである患者の眼に照射され得る。これにより、積極的に患者の脳からのメラトニンの分泌が促進され得る。
【００７１】
また、入眠設定タイミングの所定時間前から入眠誘発光がユーザーである患者の眼に照射され得る。これにより、入眠設定タイミングにおけるメラトニンの分泌が促され得る。具体的には、入眠設定タイミングの２時間前から入眠誘発光が患者の眼に照射されれば、入眠設定タイミングにおける患者の入眠が促され得る。
【００７２】
また、発光部２４ｅから発せられる入眠誘発光の各単位波長帯における放射照度が、２Ｗ・ｍ−２・ｎｍ−１以下であれば、患者の眼に与えられる刺激が強く成り過ぎない。その結果、患者の眼に優しい発光が実現され得る。さらに、発光部２４ｅから発せられる入眠誘発光の各単位波長帯における放射輝度が、０．０６Ｗ・ｍ−２・ｓｒ−１・ｎｍ−１以下に設定されれば、患者の眼に優しい発光がより確実に実現され得る。
【００７３】
また、覚醒用光源１ｗおよび入眠誘発光源１ｒの発光状態が変更されることで、睡眠障害治療器１が、入眠誘発状態または覚醒誘発状態に選択的に設定される。これにより、患者の脳からのメラトニンの分泌の促進および抑制の双方が制御され得る。
【００７４】
＜(２)第２実施形態＞
上記第１実施形態に係る睡眠障害治療器１は、睡眠障害の治療を主目的とした機器であった。これに対して、第２実施形態に係る照明装置１Ａは、通常の照明装置としての使用が可能であるとともに、ユーザーの入眠ならびに意識の覚醒の促進が可能である。
【００７５】
以下、第２実施形態に係る照明装置１Ａについて説明する。
【００７６】
＜(２−１)照明装置の概略構成＞
図９は、第２実施形態に係る照明装置１Ａの外観を例示する図である。照明装置１Ａは、ユーザーに対して入眠ならびに意識の覚醒を促すことが可能な天井照明である。
【００７７】
図９で示されるように、照明装置１Ａは、主に、支持部２Ａ、照明部２０Ａおよび受付部４０Ａを備えている。
【００７８】
支持部２Ａは、照明部２０Ａを保持するための枠状の部分である。支持部２Ａ内には、変更部３０Ａが配されている。
【００７９】
照明部２０Ａは、例えば、シート状の形状を有する。照明部２０Ａの主面の形状としては、例えば、一辺が所定の長さを有する正方形が採用され得る。ここで、所定の長さとしては、例えば、約６００ｍｍが採用され得る。なお、照明装置１Ａが、複数の照明部２０Ａを有していれば、各照明部２０Ａにおける面発光の発光強度が低減され得る。これにより、直視しても眩しくない程度の明るい照明装置が実現され得る。また、１つの照明部２０Ａにおける発光部２４ｅの面積を増大させても、同様な効果が得られる。
【００８０】
変更部３０Ａは、照明部２０Ａにおける発光状態を変更する。そして、変更部３０Ａは、受付部４０Ａに対してデータの受信が可能に接続されている。この接続の方式は、無線方式であっても有線方式であっても良い。変更部３０Ａは、受付部４０Ａから入力される各種情報に基づいて、照明部２０Ａにおける発光状態を変更する。
【００８１】
受付部４０Ａは、照明部２０Ａの発光状態の変更に関する各種情報の入力を受け付ける。そして、受付部４０Ａは、各種情報を、変更部３０Ａに送信する。
【００８２】
＜(２−２)照明部の構成＞
図１０は、第２実施形態に係る照明部２０Ａの一構成例を模式的に示す分解図である。
【００８３】
図１０で示されるように、照明部２０Ａは、上記第１実施形態に係る照明部２０がベースとされて、光源部２１が光源部２１Ａに変更されたものである。
【００８４】
光源部２１Ａは、白色光源１ｗＡ、入眠誘発光源１ｒおよび覚醒用光源１ｂを備えている。光源部２１Ａでは、複数の白色光源１ｗＡ、複数の入眠誘発光源１ｒおよび複数の覚醒用光源１ｂが一方向（ここでは、＋Ｙ方向）に配列されている。例えば、第３の所定数（例えば２つ）の白色光源１ｗＡと第４の所定数（例えば１つ）の覚醒用光源１ｂと第５の所定数（例えば１つ）の入眠誘発光源１ｒとが１つの光源群を成し、複数の該光源群が一方向に配列されていれば良い。各白色光源１ｗＡ、各入眠誘発光源１ｒおよび各覚醒用光源１ｂは、＋Ｘ方向に向けて光を射出する。
【００８５】
白色光源１ｗＡは、白色光を発する光源である。白色光源１ｗＡは、例えば、４５０ｎｍの波長において分光放射輝度のピークを有する青色光を発する発光ダイオード（青色ＬＥＤとも言う）と黄色発光蛍光体とが組み合わされた白色ＬＥＤであれば良い。但し、白色光源１ｗＡでは、フィルター等が用いられて４６４ｎｍ付近の波長の覚醒用光が減光されて、白色光源１ｗＡからの覚醒用光の射出が低減されている。これにより、入眠を誘発する際の阻害要因が減らされる。このように、白色光源１ｗＡとして、白色ＬＥＤが採用されることで、簡易な構成で白色光を発することが可能となる。
【００８６】
ここで、白色光源１ｗＡが、入眠誘発光源１ｒが配されている照明部とは別体の照明部に配されても良い。この場合、白色光源１ｗＡとしては、例えば、蛍光灯やその他の一般的な光源が採用され得る。蛍光灯から射出される光の分光分布は、図１１で示されるようなものである。白色光源１ｗＡとして、例えば、白熱電球が採用されれば、フィルターが用いられることなく、覚醒用光が少ない白色光としての電球色が実現され得る。また、青色光を発するＬＥＤ、赤色光を発するＬＥＤおよび緑色光を発するＬＥＤが用いられて、白色光が実現されても良い。
【００８７】
また、白色光源１ｗＡから発せられる白色光としては、例えば、色温度が２６００Ｋ以上で且つ７１００Ｋ以下の光が採用され得る。この色温度の範囲は、蛍光灯についての暖色系の色温度から寒色系の色温度の範囲に対応している。具体的には、蛍光灯の色は、昼光色（Ｄ）、昼白色（Ｎ）、白色（Ｗ）、温白色（ＷＷ）および電球色（Ｌ）といった５種類の色の何れかに分類されることが多い。
【００８８】
ここで、昼光色（Ｄ）は、晴天の正午の日光の色に対応するもので、日本工業規格（ＪＩＳ：Japanese Industrial Standards）では、色温度が５７００Ｋ以上で且つ７１００Ｋの色と規定されており、通常は色温度が約６５００Ｋの色を示す。昼白色（Ｎ）は、晴天の正午をはさんだ時間帯の日光の色に対応するもので、ＪＩＳでは、色温度が４６００Ｋ以上で且つ５４００Ｋの色と規定されており、通常は色温度が約５０００Ｋの色を示す。白色（Ｗ）は、日の出から２時間後の日光の色に対応するもので、ＪＩＳでは、色温度が３９００Ｋ以上で且つ４５００Ｋの色と規定されており、通常は色温度が約４２００Ｋの色を示す。温白色（ＷＷ）は、夕方の日光の色に対応するもので、ＪＩＳでは、色温度が３２００Ｋ以上で且つ３７００Ｋの色と規定されており、通常は色温度が約３５００Ｋの色を示す。電球色（Ｌ）は、白熱電球の色であり、ＪＩＳでは、色温度が２６００Ｋ以上で且つ３１５０Ｋの色と規定されており、通常は色温度が約２８００Ｋまたは３０００Ｋの色を示す。
【００８９】
入眠誘発光源１ｒは、５８０ｎｍ以上で且つ８００ｎｍ以下の波長を有する赤味を帯びた入眠誘発光を発する光源である。なお、上述したように、入眠誘発光源１ｒは、例えば、赤味を帯びた光の波長成分を他の色の波長成分よりも多く含む光を発する光源であれば良い。この入眠誘発光がユーザーとしての患者の眼に作用することで、積極的に患者の脳からのメラトニンの分泌が促され得る。
【００９０】
覚醒用光源１ｂは、人体に対してメラトニンの分泌を抑制する作用を有する波長成分の覚醒用光としての青色光を発する光源である。なお、上述したように、覚醒用光源１ｂは、例えば、青色光の波長成分を他の色の波長成分よりも多く含む光を発する光源であれば良い。ここで、覚醒用光は、例えば、４６４ｎｍ付近の波長を有する光であれば良い。この覚醒用光が患者の眼に照射されることで、患者の脳からのメラトニンの分泌が抑制され得る。これにより、患者の意識の覚醒が促される覚醒効果が得られる。
【００９１】
＜(２−３)覚醒用光および入眠誘発光＞
覚醒用光源１ｂは、例えば、４６４ｎｍ付近の波長において分光放射輝度のピークを有する青色光を発する発光ダイオード（青色ＬＥＤとも言う）であれば良い。なお、覚醒用光源１ｂは、４５０ｎｍの波長において分光放射輝度のピークを呈する青色ＬＥＤと黄色発光蛍光体とが組み合わされた白色ＬＥＤであっても良い。この場合、図４で示されるように、白色ＬＥＤから発せられる白色光には、高い覚醒効果が得られる４６４ｎｍの波長成分が他の色の波長成分よりも多く含まれる。
【００９２】
ここで、覚醒用光によるメラトニン分泌抑制効果および覚醒促進効果については、ユーザー間における差が存在する。このため、覚醒用光源１ｂの発光時における発光部２４ｅの分光放射輝度が自在に変更可能であれば、ユーザーに応じた意識の覚醒の誘発が可能となる。
【００９３】
入眠誘発光源１ｒとしては、上記第１実施形態と同様に、第１〜８ＬＥＤのうちの１以上のＬＥＤが採用されれば良い。
【００９４】
そして、発光部２４ｅから発せられる入眠誘発光の各単位波長帯における放射照度が、２Ｗ・ｍ−２・ｎｍ−１以下であれば、ユーザーの眼に優しい発光が実現され得る。また、太陽光の地上付近における標準的な反射光が想定されて、発光部２４ｅから発せられる入眠誘発光の各単位波長帯における放射輝度が、０．０４３Ｗ・ｍ−２・ｓｒ−１・ｎｍ−１程度とされても良い。さらに、地上付近における太陽光の反射率が２５％以下で且つ立体放射角が２πで反射する場合が想定されて、発光部２４ｅから発せられる入眠誘発光の各単位波長帯における放射輝度が、０．０６Ｗ・ｍ−２・ｓｒ−１・ｎｍ−１以下に設定されても良い。これにより、ユーザーの眼に優しい発光がより確実に実現され得る。また、入眠誘発光源１ｒとして、第１〜８ＬＥＤのうちの２以上のＬＥＤが採用されても良い。
【００９５】
ここで、入眠誘発光によるメラトニン分泌促進効果および入眠誘発効果については、ユーザー間における差が存在する。このため、入眠誘発光源１ｒの発光時における発光部２４ｅの分光放射輝度が自在に変更可能であれば、ユーザーに応じた入眠の誘発が可能となる。なお、入眠誘発光源１ｒには、第１〜８ＬＥＤのうちの２種類以上のＬＥＤの組み合わせが採用されても良い。
【００９６】
そして、照明装置１Ａでは、白色光源１ｗＡと入眠誘発光源１ｒとが同時期に発光することで、白色光に入眠誘発光が混じった照明光が実現される。
【００９７】
この場合、入眠誘発光の波長範囲が、５８０ｎｍ以上で且つ８００ｎｍ以下であるため、入眠誘発光は、人の眼の視感度が高い５００ｎｍ以上で且つ５５０ｎｍ以下程度の緑色光の波長成分を含まない。その結果、入眠誘発光によるメラトニンの分泌の促進と、演色性の維持とが両立し得る。更に、入眠誘発光源１ｒから発せられる入眠誘発光の波長が、７５０ｎｍ以上で且つ８００ｎｍ以下であれば、入眠誘発光に対する人の眼の視感度の低さによって、入眠誘発光が白色光の色合いに与える影響が小さい。すなわち、演色性の低下が抑制され得る。なお、ここでは、発光時における入眠誘発光源１ｒの分光放射輝度が最大となる波長（ピーク波長）が、７５０ｎｍ以上で且つ８００ｎｍ以下であれば良い。より具体的には、例えば、入眠誘発光源１ｒとして、第７および第８ＬＥＤが採用されれば、入眠誘発光によるメラトニンの分泌の促進と、演色性の維持とが両立し得る。
【００９８】
また、発光時における入眠誘発光源１ｒの分光放射輝度が最大値の半分以上の値を呈する波長の幅としての半値幅が、５０ｎｍ以下であれば、入眠誘発効果が高い波長の入眠誘発光によって、より確実に入眠誘発効果の向上が図られ得る。また、狭い波長範囲における入眠誘発光が採用されることで、入眠誘発光が白色光の色合いに与える影響が抑制され得る。すなわち、演色性の低下が抑制され得る。
【００９９】
また、照明装置１Ａでは、白色光源１ｗＡと覚醒用光源１ｂとが同時期に発光することで、白色光に覚醒用光が混じった照明光が実現される。
【０１００】
＜(２−４)照明部における発光の制御＞
図１２は、第２実施形態に係る照明装置１Ａの機能的な構成を示すブロック図である。図１２で示されるように、照明装置１Ａは、照明部２０Ａ、変更部３０Ａおよび受付部４０Ａを備えている。変更部３０Ａは、照明部２０Ａに対して電気的に接続されている。受付部４０Ａは、変更部３０Ａに対して電気的に接続されている。
【０１０１】
受付部４０Ａは、上記第１実施形態の受付部４０と同様に、ユーザーが入眠したいタイミング（入眠設定タイミング）に係る情報、およびユーザーが起床したいタイミング（起床設定タイミング）に係る情報の入力を受け付ける。
【０１０２】
ここで、入眠設定タイミングおよび起床設定タイミングは、上記第１実施形態と同様に、例えば、時刻を示す絶対的な数値の情報であっても良いし、ある時点を基準とした何時間後といった相対的な数値の情報であっても良い。そして、例えば、受付部４０Ａに、各種ボタンが設けられており、ユーザーによる各種ボタンの操作に応じて、受付部４０Ａが、入眠設定タイミングおよび起床設定タイミングに係る情報の入力を受け付ける態様が採用され得る。また、例えば、受付部４０Ａが、他の機器であるパーソナルコンピュータ等にデータ受信可能に接続されており、該他の機器からの入眠設定タイミングおよび起床設定タイミングに係る情報の入力を受け付けても良い。また、受付部４０Ａは、照明部２０Ａにおける覚醒用光源１ｂおよび入眠誘発光源１ｒにおける点灯および消灯の情報を受け付けても良い。なお、受付部４０Ａにおいて受け付けられる各種情報は、変更部３０Ａに入力される。
【０１０３】
変更部３０Ａは、白色光源１ｗＡ、入眠誘発光源１ｒおよび覚醒用光源１ｂの発光状態をそれぞれ変更する。発光状態の変更には、光源の点灯および消灯の変更だけでなく、発光強度の強弱の変更も含まれる。ここで、例えば、変更部３０Ａは、例えば、照明部２０Ａに配されている白色光源１ｗＡ、入眠誘発光源１ｒおよび覚醒用光源１ｂに対する電力の供給を制御する各種スイッチング素子等を備えた電気回路であれば良い。
【０１０４】
そして、変更部３０Ａは、白色光源１ｗＡ、入眠誘発光源１ｒおよび覚醒用光源１ｂの発光状態を変更することで、照明部２０Ａを、入眠誘発光源１ｒの発光強度が覚醒用光源１ｂの発光強度よりも高い状態（入眠誘発状態）に設定し得る。つまり、照明装置１Ａを入眠誘発状態に設定し得る。入眠誘発状態としては、例えば、白色光源１ｗＡおよび入眠誘発光源１ｒが点灯し、覚醒用光源１ｂが消灯している状態が採用される。この場合、白色光に入眠誘発光が混じった照明光が実現される。
【０１０５】
また、変更部３０Ａは、白色光源１ｗＡ、入眠誘発光源１ｒおよび覚醒用光源１ｂの発光状態を変更することで、照明部２０Ａを、覚醒用光源１ｂの発光強度が入眠誘発光源１ｒの発光強度よりも高い状態（覚醒誘発状態）に設定し得る。つまり、照明装置１Ａを覚醒誘発状態に設定し得る。覚醒誘発状態としては、例えば、白色光源１ｗＡおよび覚醒用光源１ｂが点灯し、入眠誘発光源１ｒが消灯している状態が採用される。この場合、白色光に覚醒用光が混じった照明光が実現される。
【０１０６】
そして、ここでは、例えば、白色光源１ｗＡが点灯している状態で、入眠誘発光源１ｒおよび覚醒用光源１ｂのうちの何れか一方の光源が選択的に点灯されることで、照明装置１Ａが、入眠誘発状態および覚醒誘発状態に設定され得る。このようにして、照明装置１Ａが、入眠誘発状態および覚醒誘発状態に選択的に設定されることで、メラトニンの分泌の促進および抑制の双方が制御され得る。
【０１０７】
また、変更部３０Ａは、入眠設定タイミングの所定時間前から入眠誘発光源１ｒを点灯させる。なお、変更部３０が、入眠設定タイミングの所定時間前から入眠誘発光源１ｒの発光強度を上昇させても良い。ここで、所定時間は、例えば、２時間であれば良い。すなわち、変更部３０は、入眠設定タイミングの所定時間前から入眠誘発光源１ｒを点灯させるか、または入眠誘発光源１ｒの発光強度を上昇させれば良い。
【０１０８】
例えば、午後９時からの睡眠を促す場合、入眠設定タイミングである午後９時の２時間前である午後７時から白色光源１ｗＡおよび入眠誘発光源１ｒが点灯し且つ覚醒用光源１ｗが消灯している状態に照明部２０Ａが設定されれば良い。これにより、入眠設定タイミングにおいてユーザーの脳からのメラトニンの分泌が促され得る。そして、入眠設定タイミングにおける入眠が促され得る。また、午後７時までは入眠誘発光源１ｒの発光強度が低く設定されており、午後７時から入眠誘発光源１ｒの発光強度が高められても良い。
【０１０９】
また、変更部３０Ａは、起床設定タイミングにおいて覚醒用光源１ｂを点灯させる。なお、変更部３０が、起床設定タイミングにおいて覚醒用光源１ｂの発光強度を上昇させても良い。すなわち、変更部３０は、起床設定タイミングにおいて覚醒用光源１ｂを点灯させるか、または覚醒用光源１ｂの発光強度を上昇させれば良い。
【０１１０】
例えば、午前６時に起床する場合、起床設定タイミングである午前６時から覚醒用光源１ｂが点灯し且つ入眠誘発光源１ｒが消灯している状態に照明部２０Ａが設定されれば良い。これにより、起床設定タイミングにおいてユーザーの脳からのメラトニンの分泌が抑制され得る。そして、起床設定タイミングにおいてユーザーの意識の覚醒が促され得る。すなわち、ユーザーの目覚めを助ける環境が設定され得る。また、午前６時まで覚醒用光源１ｂの発光強度が低く設定されており、午前６時から覚醒用光源１ｂの発光強度が高められても良い。
【０１１１】
上述した入眠誘発光源１ｒおよび覚醒用光源１ｂの発光状態を変更する制御は、例えば、入眠設定タイミングおよび起床設定タイミングに係る情報が時刻を示す絶対的な数値の情報である場合、変更部３０Ａが時刻の認識が可能な機能を有することで実現され得る。また、例えば、入眠設定タイミングおよび起床設定タイミングに係る情報が何時間後といった相対的な数値の情報である場合、入眠誘発光源１ｒおよび覚醒用光源１ｂの発光状態を変更する制御は、変更部３０Ａがタイマー機能を有することで実現され得る。
【０１１２】
上述したように、入眠誘発光源１ｒおよび覚醒用光源１ｂの点灯および消灯が制御されることで、入眠設定タイミングの前に入眠誘発光が射出され、起床設定タイミングにおいて覚醒用光が射出される。この場合、ユーザーに対して照明部２０Ａからの照明光が照射されることにより、ユーザーの入眠および意識の覚醒が促進される。その結果、ユーザーの生活リズムの改善が図られ得る。
【０１１３】
＜(２−５)第２実施形態のまとめ＞
以上のように、第２実施形態に係る照明装置１Ａによれば、白色光以外に５８０ｎｍ以上で且つ８００ｎｍ以下の波長を有する入眠誘発光がユーザーに照射され得る。これにより、積極的にユーザーの脳からのメラトニンの分泌が促進され得る。
【０１１４】
また、入眠設定タイミングの所定時間前から入眠誘発光がユーザーに照射されることで、入眠設定タイミングにおいてユーザーの脳からのメラトニンの分泌が促され得る。具体的には、入眠設定タイミングの２時間前から入眠誘発光がユーザーに照射されれば、入眠設定タイミングにおける入眠が促され得る。
【０１１５】
また、入眠誘発光の波長が、７５０ｎｍ以上で且つ８００ｎｍ以下であれば、入眠誘発光に対する人の眼の視感度の低さによって、入眠誘発光が白色光の色合いに与える影響が小さい。すなわち、照明装置１Ａに係る演色性の低下が抑制され得る。ここでは、入眠誘発光源１ｒの発光時に分光放射輝度が最大となる波長（ピーク波長）が、７５０ｎｍ以上で且つ８００ｎｍ以下であれば良い。
【０１１６】
また、発光部２４ｅから発せられる入眠誘発光の各単位波長帯における放射照度が、２Ｗ・ｍ−２・ｎｍ−１以下であれば、ユーザーの眼に与えられる刺激が強く成り過ぎない。その結果、ユーザーの眼に優しい発光が実現され得る。さらに、発光部２４ｅから発せられる入眠誘発光の各単位波長帯における放射輝度が、０．０６Ｗ・ｍ−２・ｓｒ−１・ｎｍ−１以下に設定されれば、ユーザーの眼に優しい発光がより確実に実現され得る。
【０１１７】
また、入眠誘発光源１ｒおよび覚醒用光源１ｂの発光状態を変更することで、照明装置１Ａが、入眠誘発状態または覚醒誘発状態に選択的に設定される。これにより、ユーザーの脳からのメラトニンの分泌の促進および抑制の双方が制御され得る。
【０１１８】
＜(３)入眠誘発光によるメラトニンの分泌の促進＞
以下、上述した入眠誘発光によるユーザーの脳からのメラトニンの分泌の促進についての実験条件および実験結果について説明する。
【０１１９】
＜(３−１)実験条件＞
白色の壁面および天井を有する室内において、２０Ｗの白熱電球が点灯された状態で、実験用の照明装置１Ｂから発せられる入眠誘発光によるメラトニンの分泌の促進についての実験が行われた。
【０１２０】
実験中は、２０Ｗの白熱電球を用いた２つのクリップライトが用いられて、白熱電球から発せられる白色光（基準光とも言う）によって、被験者の視界における壁面の明るさが、約１０ルクスに維持された。具体的には、クリップライトが、床面から約１．８ｍの高さに設置され、約２．８ｍの高さの天井を照らし、間接照明の効果によって、天井から約２ｍ、すなわち床面から約０．８ｍの高さにおいて、壁面の明るさが１０ルクスとされた。
【０１２１】
図１３は、実験用の照明装置１Ｂの外観を模式的に示す図である。図１４は、実験用の照明装置１Ｂにおける入眠誘発光源Ｒ１，Ｒ２の配置の一例を模式的に示す図である。図１５は、実験用の照明装置１Ｂにおける発光態様の一例を模式的に示す断面図である。図１５では、破線で描かれた矢印が、入眠誘発光の射出態様を模式的に示している。
【０１２２】
図１３で示されるように、実験用の照明装置１Ｂは、筐体ＢＤ１、発光部ＤＳ１、スイッチ部ＳＷ１および電源ケーブルＣＡ１を備えていた。
【０１２３】
筐体ＢＤ１は、可視光線を透過しない約５ｍｍの厚さを有する５枚の平板状の部材で構成された箱状の部分であった。また、筐体ＢＤ１は、約３００ｍｍの第１辺、約２００ｍｍの第２辺および約５０ｍｍの第３辺を有する直方体状の内部空間を有していた。つまり、筐体ＢＤ１のうちの板状の部材が配されていない開口部は、一辺の長さが約３００ｍｍで他辺の長さが約２００ｍｍのサイズを有していた。
【０１２４】
発光部ＤＳ１は、筐体ＢＤ１の開口部に拡散板が配されることで構成されていた。そして、筐体ＢＤ１のうちの拡散板に対向する内壁面ＥＳ１に配された入眠誘発光源Ｒ１，Ｒ２から発せられる光が、拡散板を透過することで、発光部ＤＳ１から入眠誘発光が射出された。ここでは、図１４で示されるように、一辺の長さが約３００ｍｍで他辺の長さが約２００ｍｍのサイズを有する筐体ＢＤ１の内壁面ＥＳ１に、２つの入眠誘発光源Ｒ１，Ｒ２の組が、マトリックス状に約６０ｍｍのピッチで配列されていた。これにより、２０個の入眠誘発光源Ｒ１と２０個の入眠誘発光源Ｒ２が配されていた。
【０１２５】
スイッチ部ＳＷ１は、電源ケーブルＣＡ１から各入眠誘発光源Ｒ１，Ｒ２への電力の供給状態を切り替える部分であった。ここでは、被験者によるスイッチ部ＳＷ１の操作によって、入眠誘発光源Ｒ１，Ｒ２の点灯および消灯が行われた。
【０１２６】
そして、２種類の入眠誘発光源Ｒ１，Ｒ２の組として、図５で示された特性を有する第１および第２ＬＥＤの組、第３および第４ＬＥＤの組、第５および第６ＬＥＤの組および第７および第８ＬＥＤの組がそれぞれ採用された４種類の照明装置１Ｂが用いられた。なお、以下では、第１および第２ＬＥＤが用いられた照明装置１Ｂを、第１照明装置１Ｂ、第３および第４ＬＥＤが用いられた照明装置１Ｂを、第２照明装置１Ｂと称する。また、第５および第６ＬＥＤが用いられた照明装置１Ｂを、第３照明装置１Ｂと称し、第７および第８ＬＥＤが用いられた照明装置１Ｂを、第４照明装置１Ｂと称する。
【０１２７】
また、各入眠誘発光源Ｒ１，Ｒ２は、１０ｍＷの出力にて使用された。これにより、発光部ＤＳ１から発せられる入眠誘発光の各単位波長帯における放射輝度が、太陽光の地上付近における標準的な反射光の各単位波長帯における放射輝度と同様な０．０４３Ｗ・ｍ−２・ｓｒ−１・ｎｍ−１程度とされた。図１６には、第１〜４照明装置１Ｂの点灯時における発光部ＤＳ１の分光放射輝度、および２０Ｗの白熱電球の点灯時における白熱電球の分光放射輝度が示されている。図１６では、第１〜４照明装置１Ｂに係る分光放射輝度が曲線Ｌａ１〜Ｌａ４でそれぞれ示されており、白熱電球に係る分光放射輝度が曲線Ｌｗｔで示されている。
【０１２８】
そして、図１５で示されるように、第１〜４照明装置１Ｂがそれぞれ点灯される際には、被験者は、眼ＥＹ１を発光部ＤＳ１から約３００ｍｍ離隔させた状態で、発光部ＤＳ１を直視した。また、第１〜４照明装置１Ｂが点灯されていない際には、被験者は、原則として壁面を直視した。
【０１２９】
１日の実験は、９時から１６時まで行われた。そして、第１〜４照明装置１Ｂがそれぞれ用いられた４日の実験（第１〜４具体例とも言う）が行われた。つまり、第１具体例では、白熱電球と第１照明装置１Ｂとが点灯され、第２具体例では、白熱電球と第２照明装置１Ｂとが点灯され、第３具体例では、白熱電球と第３照明装置１Ｂとが点灯され、第４具体例では、白熱電球と第４照明装置１Ｂとが点灯された。また、第１〜４照明装置１Ｂが用いられない２日の実験（第１および第２参考例とも言う）が行われた。つまり、第１および第２参考例では、第１〜４照明装置１Ｂが点灯されず、白熱電球が点灯された。
【０１３０】
図１７は、１日の実験において照明が点灯するタイミングを示すタイミングチャートである。図１７で示されるように、そして、実験中においては、２０Ｗの白熱電球の点灯が維持され、実験用の照明装置１Ｂは、１０時から１１時の間および１５時から１６時の間のみ点灯された。
【０１３１】
また、実験中において１時間おきに被験者の唾液が採取されて、実験終了後に唾液中におけるメラトニンの濃度が測定された。具体的には、９時、１０時、１１時、１２時、１３時、１４時、１５時、１６時の８回のタイミングで唾液が採取された。
【０１３２】
唾液の採取は、次のように行われた。唾液が採取される１５分前に水で口腔内が洗浄された。唾液の採取時には、唾液採取用のチューブ内のスポンジが口腔内に入れられ、該スポンジに唾液が吸収させられた後に、該スポンジが唾液採取用のチューブ内に格納されることで、唾液の採取が行われた。なお、口腔内では、スポンジが、奥歯の歯茎と頬粘膜との間に配置された状態で咀嚼の動作が行われつつ、該スポンジが、口腔内の右上、右下、左下および左上にそれぞれ約１分ずつ配置されることで、約４分間で唾液が採取された。唾液採取用のチューブと口腔内との間でスポンジを移動させる際には、手がスポンジに触れないように配慮された。そして、唾液採取用のチューブに格納されたスポンジ内に吸収された唾液は、遠心分離機によって採取され、唾液中におけるメラトニンの濃度の測定が行われた。すなわち、実験中に採取された被験者の唾液におけるメラトニンの濃度変化が測定された。
【０１３３】
なお、実験中の詳細な条件としては、室内の温度および湿度は２０〜２３℃および２０〜４０％にそれぞれ維持され、クラシック音楽がＢＧＭとして流された。被験者は、作業および話等は全く行わず、用便も近くの暗い場所で行った。被験者の水分補給は、実験の開始前と１２時過ぎの昼食時のみ行われた。水分補給は、ミネラルウォーターまたは麦茶によって行われた。昼食には、カレーおよびエビチリ等といった辛い物が避けられ、指定された幕の内弁当が食された。被験者は、まばたき以外は原則として眼を閉じなかった。
【０１３４】
また、実験前の準備の詳細な条件としては、被験者は、実験の前日からコーヒーおよび紅茶等のカフェイン入りの飲料物ならびに多量の酒類を飲まなかった。被験者は、実験開始前の朝食において、カレーおよびエビチリ等といった辛い物を食べなかった。被験者は、眠気を催す薬の内服を行わなかった。
【０１３５】
＜(３−２)実験結果＞
図１８は、実験中に採取された被験者の唾液におけるメラトニンの濃度についての測定結果を示すグラフである。図１８では、第１および第２参考例に係る測定結果が、細い破線および細い一点鎖線で描かれている。また、第１具体例に係る測定結果が、太い実線で描かれ、第２具体例に係る測定結果が、太い破線で描かれ、第３具体例に係る測定結果が、太い一点鎖線で描かれ、第４具体例に係る測定結果が、太い二点鎖線で描かれている。
【０１３６】
図１８で示されるように、第１〜４具体例に係る測定結果によれば、入眠誘発光の照射開始から２時間後から４時間後に相当する１２時から１４時にかけた時間帯に唾液におけるメラトニンの濃度の上昇が確認された。
【０１３７】
詳細には、第１具体例については、入眠誘発光の照射開始時である１０時におけるメラトニンの濃度が約１．７ｐｇ／ｍｌであるのに対して、１３時におけるメラトニンの濃度が約３．９ｐｇ／ｍｌであった。つまり、入眠誘発光の照射によって被験者の唾液におけるメラトニンの濃度が約２倍に増加することが確認された。また、第２具体例については、入眠誘発光の照射開始時である１０時におけるメラトニンの濃度が約０．７５ｐｇ／ｍｌであるのに対して、１３時におけるメラトニンの濃度が約１．４ｐｇ／ｍｌであった。つまり、入眠誘発光の照射によって被験者の唾液におけるメラトニンの濃度が約２倍に増加することが確認された。
【０１３８】
また、第３具体例については、入眠誘発光の照射開始時である１０時におけるメラトニンの濃度が約１．９ｐｇ／ｍｌであるのに対して、１３時におけるメラトニンの濃度が約２．４ｐｇ／ｍｌであった。つまり、入眠誘発光の照射によって被験者の唾液におけるメラトニンの濃度が約１．３倍に増加することが確認された。更に、第４具体例については、入眠誘発光の照射開始時である１０時におけるメラトニンの濃度が約１．３ｐｇ／ｍｌであるのに対して、１３時におけるメラトニンの濃度が約１．９ｐｇ／ｍｌであった。つまり、入眠誘発光の照射によって被験者の唾液におけるメラトニンの濃度が約１．５倍に増加することが確認された。
【０１３９】
これに対して、第１および第２参考例に係る測定結果によれば、１２時から１４時にかけた時間帯に唾液におけるメラトニンの濃度の上昇は確認されなかった。
【０１４０】
このように、第１および第２参考例と比較して、第１〜４具体例については、入眠誘発光の照射開始から２時間後から４時間後にかけた時間帯においてメラトニンの濃度の上昇が明らかに確認された。このため、入眠誘発光の照射によって被験者の脳からのメラトニンの分泌が促進されることが分かった。そして、特に、患者またはユーザーが入眠すべきタイミングの２時間前から、患者またはユーザーに対する入眠誘発光の照射が開始されることが有効であることが推定された。
【０１４１】
＜(４)変形例＞
なお、本発明は上記第１および第２実施形態に限定されるものではなく、本発明の要旨を逸脱しない範囲において種々の変更、改良等が可能である。
【０１４２】
◎例えば、上記第１実施形態では、姿勢設定部として寝具部１０が採用されたが、これに限られない。例えば、姿勢設定部として椅子等のその他の器具が用いられても良い。すなわち、患者が、予め決められた姿勢で姿勢設定部としての所定の器具に対して体を当接させることで、照明部２０から発せられる光が照射される被照射領域に患者の顔が配置されれば良い。
【０１４３】
◎また、上記第１実施形態では、照明部２０から入眠誘発光と覚醒用光とが選択的に射出されたが、これに限られない。例えば、第２実施形態と同様に、照明部２０が、白色光、入眠誘発光および覚醒用光を射出するようなものであっても良い。このような構成では、例えば、照明部２０から、白色光と入眠誘発光とが混じっている照明光と、白色光と覚醒用光とが混じっている照明光とが選択的に射出されても良い。
【０１４４】
そして、この場合、入眠誘発光の波長範囲が、５８０ｎｍ以上で且つ８００ｎｍ以下であれば、入眠誘発光は、人の眼の視感度が高い５００ｎｍ以上で且つ５５０ｎｍ以下程度の緑色光の波長成分を含まない。その結果、入眠誘発光によるメラトニンの分泌の促進と、演色性の維持とが両立し得る。更に、入眠誘発光の波長が、７５０ｎｍ以上で且つ８００ｎｍ以下であれば、入眠誘発光に対する人の眼の視感度の低さによって、入眠誘発光が白色光の色合いに与える影響が小さい。すなわち、睡眠障害治療器に係る演色性の低下が抑制され得る。なお、ここでは、発光時に入眠誘発光源１ｒの分光放射輝度が最大となる波長（ピーク波長）が、７５０ｎｍ以上で且つ８００ｎｍ以下であれば良い。より具体的には、入眠誘発光源１ｒとして、第７および第８ＬＥＤが採用されれば、入眠誘発光によるメラトニンの分泌の促進と、演色性の維持とが両立し得る。
【０１４５】
また、発光時に入眠誘発光源１ｒの分光放射輝度が最大値の半分以上の値を呈する波長の幅としての半値幅が、５０ｎｍ以下であれば、入眠誘発効果が高い波長の入眠誘発光によって、より確実に入眠誘発効果の向上が図られ得る。また、狭い波長の範囲における入眠誘発光が採用されることで、入眠誘発光が白色光の色合いに与える影響が小さい。すなわち、睡眠障害治療器に係る演色性の低下が抑制され得る。
【０１４６】
◎また、上記第２実施形態では、照明装置１Ａが、天井に設置されるものとして説明したが、これに限られない。例えば、部屋の壁に照明装置１Ａが設置されても良い。この場合、更に、照明装置１Ａが、擬似的な窓として設けられており、照明装置１Ａが風景を表示するようなディスプレイであれば、ユーザーが眼で照明装置１Ａを直視する確率が高くなる。これにより、更に積極的にユーザーの脳からのメラトニンの分泌が促進され得る。
【０１４７】
◎また、上記第１および第２実施形態では、照明部２０，２０Ａが、面発光を行うタイプのものであったが、これに限られない。例えば、複数の点光源が離散的に配されているタイプの照明部であっても良い。なお、点光源としては、例えば、ＬＥＤが採用され得る。
【０１４８】
◎なお、上記第１および第２実施形態および各種変形例をそれぞれ構成する全部または一部を、適宜、矛盾しない範囲で組み合わせ可能であることは、言うまでもない。
【符号の説明】
【０１４９】
１  睡眠障害治療器
１Ａ，１Ｂ  照明装置
１ｂ，１ｗ  覚醒用光源
１ｒ，Ｒ１，Ｒ２  入眠誘発光源
１ｗＡ  白色光源
１０  寝具部
２０，２０Ａ  照明部
２１，２１Ａ  光源部
２４ｅ，ＤＳ１  発光部
３０，３０Ａ  変更部
４０，４０Ａ  受付部
【図２】
2013222651.tif 000003
【図３】
2013222651.tif 000004
【図４】
2013222651.tif 000005
【図５】
2013222651.tif 000006
【図８】
2013222651.tif 000007
【図９】
2013222651.tif 000008
【図１０】
2013222651.tif 000009
【図１１】
2013222651.tif 000010
【図１２】
2013222651.tif 000011
【図１３】
2013222651.tif 000012
【図１４】
2013222651.tif 000013
【図１５】
2013222651.tif 000014
【図１７】
2013222651.tif 000015
【図１８】
2013222651.tif 000016
【図１】
2013222651.tif 000017
【図６】
2013222651.tif 000018
【図７】
2013222651.tif 000019
【図１６】
2013222651.tif 000020